(57)【要約】      （修正有）【課題】目地材に薄肉の部材を用いても発光部品を内設可能等十分機能を発揮し、施工の容易化や軽量化を図ると共に目地幅を可及的に小さくしてブロック意匠面の面積比が大きくデザイン上優れたものとする。【解決手段】縦横に整列配置されて隣接するブロック５の相互間に目地材６（７）を介設してなるブロック構築体１０であり、目地材が、平板状体で構成され、幅方向中間部位に少なくとも長手方向に延びる凸部が形成され且つその幅方向両端部位に長手方向に延びる平面部６ａがそれぞれ形成されてなり、目地材の凸部の形成領域が、隣接するブロックの各側面部５ｄの幅方向中間部位に存する相互間隙間に収容され、各目地材のそれぞれの両平面部の端部が、隣接するブロックの各側面部の幅方向両端部位における相互間をそれぞれ閉塞し、かつ目地材の幅方向端面を、意匠面に対して奥側にブロック意匠面から支持面奥側までの距離の１／６〜１／２の範囲に位置させる。【選択図】図６
2010255401.tif 000002
【特許請求の範囲】
【請求項１】
意匠面の縁部からこれに対向する意匠面の縁部に連なる側面部が、その幅方向における意匠面側の端部及びこれに対向する意匠面側の端部に平坦面をなす支持面をそれぞれを有し且つそれら支持面の幅方向相互間に該支持面よりも窪んでなる凹部を有するブロックを複数個縦横に整列配置させると共に、隣接するブロックの各側面部の相互間に目地材を介設してなるブロック構築体であって、
前記目地材が、平板状体で構成されて、その幅方向中間部位に、長手方向に延びる凸部が形成され、その幅方向両端部位に、板厚よりも幅方向寸法が長尺であって長手方向に延びる平面部がそれぞれ形成されてなり、該目地材の前記凸部が、隣接するガラスブロックの各側面部の幅方向中間部位に存する相互間隙間に収容されると共に、該目地材の前記平面部が、隣接するブロックの各側面部の支持面相互間をそれぞれ閉塞し、前記目地材の平面部の幅方向端面が、前記ブロックの意匠面よりも幅方向中央側に奥まって位置し、前記目地材の平面部の表裏両面全域が平坦面で形成され、且つ、前記目地材の平面部と前記ブロックの支持面との間のみに接触圧が作用していることを特徴とするブロック構築体。
【請求項２】
前記目地材の平面部の幅方向端面が、前記ブロックの意匠面に対して、該ブロックの意匠面から前記支持面の幅方向中央側の端部までの距離Ｌ１の１／６〜１／２の範囲に位置してブロック構築体全体の意匠面を構成していることを特徴とする請求項１に記載のブロック構築体。
【請求項３】
前記目地材が金属材料単体、金属材料同士の複合体、金属材料と樹脂又はゴムの複合体、樹脂同士の複合体、樹脂とゴムの複合体又はゴム同士の複合体よりなる平板状体で構成されていることを特徴とする請求項１または２に記載のブロック構築体。
【請求項４】
前記目地材のうち横方向に沿う目地材は、一枚の平板状体の幅方向中間部位に長手方向に延びる凹部が形成され、該目地材の前記凹部の形成領域が、隣接する複数のブロックの各側面部の幅方向中間部位に存する相互間隙間に連通した状態で存在していることを特徴とする請求項１〜３の何れかに記載のブロック構築体。
【請求項５】
前記整列配置された複数個のブロックを取り囲む枠体の両側部内面にプレート材をそれぞれ装着し、この両プレート材の内面側に、縦方向に延びる嵌合用凹部をそれぞれ形成すると共に、この両嵌合用凹部に、Ｌ字形をなす一対のアンカーピースの縦面部をそれぞれ嵌合させ、且つ、この両アンカーピースの横面部を、横方向に沿う前記目地材の凹部の長手方向両端部にそれぞれ嵌合させたことを特徴とする請求項４に記載のブロック構築体。
【請求項６】
前記プレート材の嵌合用凹部に、アンカーピースの縦面部を拘束して案内する鉤状凸部が対向して形成されてなることを特徴とする請求項５に記載のブロック構築体。
【請求項７】
前記ブロックが透光性ガラスよりなるものであり、前記隣接するブロックの各側面部の相互間において、前記目地材の幅方向中間部位に形成された何れかの凹部の内側に発光部品が組み込まれていることを特徴とする請求項４または５に記載のブロック構築体。
【請求項８】
前記隣接するブロックの各側面部の相互間において、前記目地材の幅方向中央部位の凹部が、透光性ガラスよりなる前記ブロックの溶着部との干渉を回避していることを特徴とする請求項１〜７の何れかに記載のブロック構築体。
【請求項９】
前記隣接するブロックの各側面部の相互間において、前記目地材の前記両平面部の幅方向中央側寄り部位に形成された表面側および裏面側の凸部が、前記両ブロックの各側面部にそれぞれ近接していることを特徴とする請求項１〜８の何れかに記載のブロック構築体。
【請求項１０】
横方向に沿う前記目地材が、前記枠体の両側部内面に装着された両プレート材の相互間を延びるように配列されると共に、これらの目地材が、補強材を兼用していることを特徴とする請求項９に記載のブロック構築体。
【請求項１１】
前記ブロックの側面部が透明であると共に、前記目地材が着色されていることを特徴とする請求項７〜１０の何れかに記載のブロック構築体。
【請求項１２】
意匠面の縁部からこれに対向する意匠面の縁部に連なる側面部が、その幅方向における意匠面側の端部及びこれに対向する意匠面側の端部に平坦面をなす支持面をそれぞれを有し且つそれら支持面の幅方向相互間に該支持面よりも窪んでなる凹部を有するブロックを複数個縦横に整列配置させるに際して、隣接するブロックの相互間に目地材を介設しつつ施工を行うブロック構築体の施工方法において、
前記目地材として、一枚の平板状体で構成されて、その幅方向中間部位に、長手方向に延びる凸部が形成されると共に、その幅方向両端部位に、板厚よりも幅方向寸法が長尺であって長手方向に延びる平面部がそれぞれ形成され、且つ該平面部の表裏両面全域が平坦面で形成されてなるものを使用すると共に、該目地材の前記凸部が、隣接するブロックの各側面部の幅方向中間部位に存する相互間隙間に収容され、且つ、該目地材のそれぞれの前記両平面部の幅方向端部が、隣接するブロックの各側面部の幅方向両端部位における相互間をそれぞれ閉塞し、前記目地材の平面部の幅方向端面が、前記ブロックの意匠面よりも幅方向中央側に奥まって位置し、且つ、前記目地材の平面部と前記ブロックの支持面との間のみに接触圧が作用するように、複数個のブロックを縦横に整列配置させることを特徴とするブロック構築体の施工方法。
【請求項１３】
前記目地材の平面部の幅方向端面が、前記ブロックの意匠面に対して、該ブロックの意匠面から前記支持面の幅方向中央側の端部までの距離Ｌ１の１／６〜１／２の範囲に位置してブロック構築体全体の意匠面を構成することを特徴とする請求項１２に記載のブロック構築体の施工方法。
【発明の詳細な説明】
【技術分野】
【０００１】
本発明は、外壁用や内壁用として広く利用される建築用のブロックを複数個用いて整列配置させることで壁面を構成したブロック構築体およびその施工方法に関する。
【背景技術】
【０００２】
周知のように、モルタルを使用しないブロック壁面の施工法は、複数個のブロックを縦横に整列配置させて壁面を構築する際に、作業性の向上等を図り得るものとして、種々の提案がなされ或いは使用が試みられている。その一例として、特許文献１によれば、材料コストの低減、施工性の向上、浸水防止、軽量化、気密性及び断熱性の向上を目的として、全体がゴム等の弾性材料で４角形枠状等に一体形成されたガラスブロック組立て用目地材が開示されている。この目地材は、目地本体の内周面が１個のガラスブロックの外周面に弾性的に密着嵌合する形状をなしており、目地本体と、隣接するガラスブロックの目地本体とがシール面で接する構成とされている。また、同文献には、この目地材の目地本体を装着した複数個のガラスブロックを、目地本体を介して縦横方向に当接配列すると共に、縦横方向に隣接するガラスブロック間に補強骨材を目地本体で外部から閉塞された状態で配筋し、且つ、ガラスブロックの配列群の周囲に配設される枠材を、補強骨材を利用して内側に緊締したブロック構築体が開示されている。
【０００３】
さらに、特許文献２には、ガラスブロックを用いたブロック壁の内部に補強筋や配線等を挿通可能にすると共に、施工を簡単にし、且つ仕上がりを良好にすることを目的として、ガラスブロック本体を取り囲む枠体の各個辺に備えた連結用の嵌合凹凸部の表面に、側辺の全長に亘って延びる凹入溝が形成され、ガラスブロック同士を嵌合連結したときに、嵌合凹凸部の対向面に、凹入溝による貫通空間が形成されるブロック壁の施工構造が開示されている。
【０００４】
また、特許文献３には、ガラス煉瓦を用いたブロック壁を形成するための構造要素複合体が、ブロック壁の周縁輪郭を形成する略Ｃ型断面を備えるアルミニウム製外形棒体と、一のガラス煉瓦およびこれに隣接する他のガラス煉瓦を相互間で水平方向に分離すると共に少なくとも露出する側に延出する縁部がアルミニウムから形成された複数の仕切部材と、アルミニウム製の水平部材とを有する構成が開示されている。この水平部材は、長手方向縁部に沿うＴ字型断面の突出部を備えた水平ウェブと、所定間隔で配設され且つ直立する前記仕切部材を固定可能とする座部とを備えている。そして、水平部材は、その端部に接続要素が取り付けられ、この接続要素が、Ｃ型断面を有する外形棒体のうち垂直に立設する外形棒体の内面に対して着脱自在に接続するように構成されている。
【０００５】
さらに、特許文献４、５には、透明ブロックが破損した場合等に、どの部位であっても個々の透明ブロックごとに容易に取り外しや取り替えさらには復元が可能であり、ユニット化を容易に行うことができ、且つ、ユニット化する透明ブロックの個数や配置等も容易に変更可能な透明ブロック構築体が開示されている。また、同各文献には、ＬＥＤ等の光源の設置スペースを必要とせず、且つ光源の取り付けや取り替えを容易に行うことができる透明ブロック構築体も開示されている。
【０００６】
詳述すると、特許文献４には、複数個の透明ブロックと該透明ブロックを個々に保持する複数の枠体とからなり、枠体が、透明ブロックの側面を取り囲む筒状の周辺部と、周辺部の外側に突出して設けられた出縁部とからなると共に、出縁部が他の枠体の出縁部と接合され、且つ周辺部が透明ブロックの厚さ方向の中央部分を少なくとも取り囲んでなる構成が開示されている。また、特許文献５には、枠体が、透明ブロックの側面を取り囲む筒状の周辺部と、周辺部の外側に突出して設けられた出縁部と、周辺部に設けられ且つ透明ブロックを照射するための光源が取り付けられる光源取り付け部とからなり、周辺部が透明ブロックの厚さ方向の中央部分を少なくとも取り囲んでなる透明ブロック構築体が開示されている。そして、この透明ブロック構築体は、光源から発する光を透明ブロックに取り込むための開口部を有し、出縁部が他の枠体の出縁部と接合されると共に、光源取り付け部が、前方に開口部を有するポケット状に形成されてなるものである。
【先行技術文献】
【特許文献】
【０００７】
【特許文献１】特開平１１−２４７３１２号公報
【特許文献２】特開平４−２１６７４５号公報
【特許文献３】特表２００６−５２７３１９号公報
【特許文献４】特開２００８−３８５５５号公報
【特許文献５】特開２００８−４５３８９号公報
【発明の概要】
【発明が解決しようとする課題】
【０００８】
しかしながら、特許文献１、２に開示されたブロック構築体は、個々のガラスブロックの外周面に、全体がゴムや合成樹脂等の材料で四角形枠状に一体形成された目地本体を取り付け、隣接するガラスブロックの目地本体を密接させて補強材で締め付けを行う構成とされている。このような構成によれば、止水性能を向上させる点で有利となるが、目地本体の材質として、施工性、水密気密性能でシリコーンゴムを使用することが好適であるため、コストが高くなる欠点があるのみならず、室内で水密性能を問われない場合に過剰品位になるという問題を有している。しかも、この構成によれば、各ガラスブロックの周囲を目地本体で覆わねばならいため、施工が面倒且つ煩雑になると共に、隣接するガラスブロックの相互間で二個の目地本体が密接している関係上、目地幅が必然的に大きくなる。そのため、目地材として重量増を招くのは勿論のこと、コストの高騰をも招き、さらにはブロック構築体としてガラスの面積比が小さくなるため、デザイン上好ましくないという問題をも有している。
【０００９】
また、特許文献３に開示されたブロック構築体は、ガラスブロックの周縁輪郭を形成するために略Ｃ型断面を備えるアルミニウム製の外形棒体が必要となり、周縁輪郭部の納まりが制限されたり、アルミニウム製外形棒体自体が目立ちすぎるためデザイン上好ましくない。さらに、アルミニウム製水平部材には端部に接続要素が取り付けられているが、周辺部材や水平部材、ガラスブロックの精度が良くないと連結できなくなり、施工が困難となる。さらに、連結作業数が大量であり、施工が面倒且つ煩雑となって施工スピードが上がらないという問題を有している。しかも、接続要素が取り付けられていることから、重量増やコスト高を招くばかりでなく、目地幅が大きくなり、これに起因してガラス面積比が小さくなるため、デザイン上好ましくない仕上がりになる。
【００１０】
さらに、特許文献４、５に開示されたブロック構築体によれば、多くの部材および組立作業を必要とするので、施工が面倒且つ煩雑になり、製造コストが高くなるという問題がある。しかも、透明ブロックが個々に枠体で保持され、この枠体が、透明ブロックの側面を取り囲む筒状の周辺部と、周辺部の外側に突出して設けられた出縁部とからなる中空状の部材である。そのため、重量増やコスト高を招くのはもとより、目地幅が大きくなって、ガラス面積比が小さくなるため、デザイン上好ましくないという問題を有している。
【００１１】
本発明は、上記事情に鑑み、目地材として薄肉の部材を使用しても十分な機能を発揮できるようにして、施工の容易化や軽量化さらにはコストの削減を図ると共に、目地幅を可及的に小さくしてブロックの意匠面の面積比を大きくすることによりデザイン上優れたものとするブロック構築体およびその施工方法を提供することを技術的課題とする。
【課題を解決するための手段】
【００１２】
上記技術的課題を解決するために創案された本発明は、意匠面の縁部からこれに対向する意匠面の縁部に連なる側面部が、その幅方向における意匠面側の端部及びこれに対向する意匠面側の端部に平坦面をなす支持面をそれぞれを有し且つそれら支持面の幅方向相互間に該支持面よりも窪んでなる凹部を有するブロックを複数個縦横に整列配置させると共に、隣接するブロックの各側面部の相互間に目地材を介設してなるブロック構築体であって、前記目地材が、平板状体で構成されて、その幅方向中間部位に、長手方向に延びる凸部が形成され、その幅方向両端部位に、板厚よりも幅方向寸法が長尺であって長手方向に延びる平面部がそれぞれ形成されてなり、該目地材の前記凸部が、隣接するガラスブロックの各側面部の幅方向中間部位に存する相互間隙間に収容されると共に、該目地材の前記平面部が、隣接するブロックの各側面部の支持面相互間をそれぞれ閉塞し、前記目地材の平面部の幅方向端面が、前記ブロックの意匠面よりも幅方向中央側に奥まって位置し、前記目地材の平面部の表裏両面全域が平坦面で形成され、且つ、前記目地材の平面部と前記ブロックの支持面との間のみに接触圧が作用していることに特徴づけられる。
【００１３】
このような構成によれば、隣接するブロックの相互間に介設される目地材が、平板状体で構成され、その幅方向両端部位に、板厚よりも幅方向寸法が長尺であって長手方向に延びる平面部がそれぞれ形成されると共に、該平面部の表裏両面（板厚方向両面）の全域が平坦面で形成され、且つ目地材の平面部のみにブロックから平面接触による接触圧が作用するように構成されている。これにより、目地材を各ブロックの相互間に介設するための作業が簡単になり、施工の簡素化が図られると共に、コストが安価となり、且つ軽量化をも図ることが可能となる。しかも、目地材を構成する平板状体の幅方向両端部位に形成された平面部の端部が、隣接するブロックの両側面部の幅方向両端部位の相互間を閉塞し、目地材の平面部の幅方向端面が、ブロックの意匠面よりも幅方向中央側に奥まって位置している。そして、目地材の幅方向端部における平面部の表面と裏面とが、隣接するブロックにおける両側面部の幅方向端部に形成された支持面にそれぞれ平面接触していることと相俟って、目地幅が平板状体の平面部の板厚と同等となることにより極めて小さくなり、これに伴ってブロック構築体におけるガラス面積比が大きくなって、デザイン上極めて優れたものとなる。
【００１４】
この場合、前記目地材の平面部の幅方向端面が、前記ブロックの意匠面に対して、該ブロックの意匠面から前記支持面の幅方向中央側の端部までの距離Ｌ１の１／６〜１／２の範囲に位置してブロック構築体全体の意匠面を構成していることが好ましい。
【００１５】
すなわち、目地材の平面部の幅方向端面が、ブロックの意匠面から上記の距離Ｌ１の１／６以上奥側に位置していると、ブロック構築体の意匠面を構成した際に、寸法以上に目地幅を小さく見せることが可能であり、デザイン上優れたものとなる。一方、目地材の平面部の幅方向端面が、ブロックの意匠面から上記の距離Ｌ１の１／２以内の範囲に位置していると、ブロック構築体の意匠面を構成した際に、更に寸法以上に目地幅を小さく見せることが可能であり、また目地材の材料費を抑えることも可能であり、好ましいものである。しかしながら、当該端面が、ブロックの意匠面から上記の距離Ｌ１の１／２を超えて奥になると、目地材の平面部とブロックの支持面との接触面積が小さくなりブロックの破損原因になるため好ましくない。したがって、目地材の幅方向端面が、上記の数値範囲内に位置していると、デザイン面の好適化、材料費の抑制、ブロックの破損防止の点で重要である。
【００１６】
なお、目地材を構成する平板状体の幅方向両端部位に形成されている平面部の厚みは、１〜５ｍｍ程度にすることができるので、目地幅も１〜５ｍｍ程度にすることができる。また、平面部の板厚を変更することにより、容易に目地幅を変更できるという利点も享受することができる。なお、各目地材は、サッシ用のアルミ合金等の金属材料単体、またその複合材料又は炭素繊維、ガラスチョップドストランド等の短繊維により強化された耐変形性を有する樹脂複合材料の押出成型加工、ゴム材料の押出成形加工や金属材料の引き抜き成型加工或いはプレス加工によって容易に製作することができる。また、これらを組み合わせた複合材料から作製することができる。
【００１７】
また、目地材が、金属材料単体、金属材料同士の複合体、金属材料と樹脂又はゴムの複合体、樹脂同士の複合体、樹脂とゴムの複合体又はゴム同士の複合体よりなる平板状体で構成されていることが、強度と性能のバランスが取りやすく、またデザインのバリエーションが増えるため非常に好ましい。
【００１８】
以上の構成において、前記目地材のうち横方向に沿う目地材は、平板状体の幅方向中間部位に長手方向に延びる凹部が形成され、該目地材の前記凹部の形成領域が、隣接する複数のブロックの各側面部の幅方向中間部位に存する相互間隙間に連通した状態で存在していることが好ましい。
【００１９】
このようにすれば、横方向に隣接するブロックの各側面部の幅方向中間部位に存する相互間隙間において、横方向に沿う目地材の凹部を有効利用して各種の物品（横方向の長さが複数のブロックの幅方向全長に亘る長さの物品など）を保持することが可能となる。
【００２０】
また、前記整列配置された複数個のブロックを取り囲む枠体の両側部内面にプレート材をそれぞれ装着し、この両プレート材の内面側に、縦方向に延びる嵌合用凹部をそれぞれ形成すると共に、この両嵌合用凹部に、Ｌ字形をなす一対のアンカーピースの縦面部をそれぞれ嵌合させ、且つ、この両アンカーピースの横面部を、横方向に沿う前記目地材の凹部の長手方向両端部にそれぞれ嵌合させることが好ましい。
【００２１】
このようにすれば、枠体の両側部内面に装着したプレート材と、横方向に沿う目地材とが、アンカーピースによって連結された状態となるため、両者の連結構造が簡単になるばかりでなく、連結作業も容易化される。
【００２２】
また、前記プレート材の嵌合用凹部に、アンカーピースの縦面部の両側を拘束して案内する鉤状凸部が対向して形成されてなることが好ましい。
【００２３】
このようにすれば、枠体の両側部内面に装着したプレート材に、アンカーピースを容易に拘束した状態で案内して、上下方向に移動させることで、プレート材と目地材との連結作業がさらに容易化される。
【００２４】
さらに、前記ブロックが透光性ガラスよりなるものであり、前記隣接するブロックの各側面部の相互間において、前記目地材の幅方向中間部位に形成された何れかの凹部の内側に発光部品が組み込まれていることが好ましい。
【００２５】
このようにすれば、隣接する透光性ガラスよりなるブロックの相互間に小型のフィラメントランプ、放電ランプ、或いはＬＥＤ等の発光部品を組み込むに際して、目地材が邪魔になることなく、その発光部品を目地材で適正に保持することが可能となる。
【００２６】
また、前記隣接する透光性ガラスよりなるブロックの各側面部の相互間において、前記目地材の幅方向中央部位の凹部が、前記ブロックの溶着部との干渉を回避していることが好ましい。
【００２７】
このようにすれば、ガラスブロックの溶着部は、その側面から突出しているが、目地材は、その突出部と干渉することなく、各ガラスブロックの側面の相互間に適切に介設された状態となる。
【００２８】
さらに、前記隣接するガラスブロックの各側面部の相互間において、前記目地材の前記両平面部の幅方向中央側寄り部位に形成された表面側および裏面側の凸部が、前記両ガラスブロックの各側面部にそれぞれ近接していることが好ましい。
【００２９】
このようにすれば、ガラスブロックの側面部は、幅方向中央部に移行するに連れて漸次窪んでいることから、ガラスブロックの側面部の幅方向両端部位に対応して目地材の幅方向両端部に平面部が形成され、その平面部の幅方向中央側寄り部位における表面側および裏面側に形成された凸部が、隣接するガラスブロックの各側面部にそれぞれ近接することにより、両ガラスブロックの幅方向相対移動が凸部により規制されて、平面部との相互作用により両ガラスブロックの適正な位置決めがなされる。そして、これに伴って、少ない材料でビスなどの接続要素を用いることなく簡単に組み上げることが可能となる。
【００３０】
また、横方向に沿う前記目地材が、前記枠体の両側部内面に装着された両プレート材の相互間を延びるように配列されると共に、これらの目地材が、補強材を兼用していることが好ましい。
【００３１】
このようにすれば、ブロック構築体を製作していく過程において、相対的に下段の複数個のブロックを各相互間に縦方向に沿う目地材を介設させて横方向に隣接配置させた後、それらのブロックの上面に跨って横方向に沿う目地材を配置し、然る後、その上段の複数個のブロックを同様に横方向に隣接配置させていけばよいことになり、施工性の向上が図られる。しかも、この横方向に沿う目地材は、一枚の平板状体に長手方向に延びる凸部および凹部を形成したものであるため、断面二次モーメントがＨ型鋼に近いものとなり、その長手方向に対しては十分な強度を有することになる。したがって、補強筋等の補強材としての役割を兼ねることができ、部品点数を確実に削減することが可能となる。なお、縦方向に沿う目地材は、相対的に短い寸法となり、凹部は形成されていなくてもよい。
【００３２】
以上の構成において、前記透光性ガラスよりなるブロックの側面が透明であると共に、前記目地材が着色されていることが好ましい。
【００３３】
このようにすれば、着色された目地材から、透明のガラスブロックの内部を通して意匠面（前面および後面）に発色を投影させることが可能となり、一種独特の美観が得られ、優れた装飾効果を発揮することが可能となる。なお、このような利点を得る上では、前記プレート材をも着色することが好ましい。
【００３４】
また、上記技術的課題を解決するために創案された本発明に係る方法は、意匠面の縁部からこれに対向する意匠面の縁部に連なる側面部が、その幅方向における意匠面側の端部及びこれに対向する意匠面側の端部に平坦面をなす支持面をそれぞれを有し且つそれら支持面の幅方向相互間に該支持面よりも窪んでなる凹部を有するブロックを複数個縦横に整列配置させるに際して、隣接するブロックの相互間に目地材を介設しつつ施工を行うブロック構築体の施工方法において、前記目地材として、一枚の平板状体で構成されて、その幅方向中間部位に、長手方向に延びる凸部が形成されると共に、その幅方向両端部位に、板厚よりも幅方向寸法が長尺であって長手方向に延びる平面部がそれぞれ形成され、且つ該平面部の表裏両面全域が平坦面で形成されてなるものを使用すると共に、該目地材の前記凸部が、隣接するブロックの各側面部の幅方向中間部位に存する相互間隙間に収容され、且つ、該目地材の平面部が、隣接するブロックの各側面部の支持面相互間をそれぞれ閉塞し、前記目地材の平面部の幅方向端面が、前記ブロックの意匠面よりも幅方向中央側に奥まって位置し、且つ、前記目地材の平面部と前記ブロックの支持面との間のみに接触圧が作用するように、複数個のブロックを縦横に整列配置させることに特徴づけられる。
【００３５】
このような方法によれば、本発明に係るブロック構築体について冒頭で述べた基本的構成についての説明事項（作用効果を含む）と実質的に同一の説明事項となるので、ここではその記載を省略する。
【００３６】
この場合、前記目地材の平面部の幅方向端面が、前記ブロックの意匠面に対して、該ブロックの意匠面から前記支持面の幅方向中央側の端部までの距離Ｌ１の１／６〜１／２の範囲に位置してブロック構築体全体の意匠面を構成することが好ましい。
【００３７】
このような方法によれば、本発明に係るブロック構築体のうち、既述の実質的な構成要素がこの方法と同一のブロック構築体についての説明事項（作用効果を含む）と実質的に同一の説明事項となるので、ここではその説明を省略する。
【発明の効果】
【００３８】
以上のように本発明によれば、隣接するブロックの相互間に介設される目地材が、平板状体で構成され、その幅方向両端部位に、板厚よりも幅方向寸法が長尺であって長手方向に延びる平面部がそれぞれ形成されると共に、該平面部の表裏両面の全域が平坦面で形成され、且つ目地材の平面部のみにブロックから平面接触による接触圧が作用することから、目地材を各ブロックの相互間に介設するための作業が簡単になり、施工の簡素化が図られると共に、コストが安価となり、且つ軽量化をも図ることが可能となる。しかも、目地材を構成する平板状体の幅方向両端部位に形成された平面部の端部が、隣接するブロックの両側面部の支持面相互間を閉塞し、目地材の平面部の幅方向端面が、ブロックの意匠面よりも幅方向中央側に奥まって位置しているため、目地材の平面部の表面と裏面とが隣接するブロックにおける両側面部の支持面にそれぞれ平面接触していることと相俟って、目地幅が平板状体の平面部の板厚と同等となることにより極めて小さくなり、これに伴ってブロック構築体におけるガラス面積比が大きくなって、デザイン上極めて優れたものとなる。
【図面の簡単な説明】
【００３９】
【図１】（Ａ）は本発明の第１実施形態に係るブロック構築体の正面図であり、（Ｂ）は要部断面とその拡大図である。
【図２】本発明の第１実施形態に係るブロック構築体の構成要素であるガラスブロックを示し、（Ａ）は、ガラスブロックの斜視図、（Ｂ）は、ガラスブロックの半断面側面図である。
【図３】本発明の第１実施形態に係るブロック構築体の構成要素である目地材を示し、（Ａ）は、目地材の裏面側を上側とする斜視図、（Ｂ）は、目地材の側面図、（Ｃ）は、目地材の表面側を上側とする斜視図である。
【図４】本発明の第１実施形態に係るブロック構築体の構成要素であるプレート材を示し、（Ａ）は、プレート材の斜視図、（Ｂ）は、プレート材の底面図である。
【図５】本発明の第１実施形態に係るガラスブロック構築体の構成要素であるアンカーピースを示し、（Ａ）は、アンカーピースの斜視図、（Ｂ）は、アンカーピースの側面図、（Ｃ）は、アンカーピースの平面図、（Ｄ）は、アンカーピースの背面図である。
【図６】本発明の第１実施形態に係るガラスブロック構築体の構成要素であるプレート材を示し、（Ａ）は、図１のＸ−Ｘ線断面図、（Ｂ）は、図１のＹ−Ｙ線断面図である。
【図７】本発明の第１実施形態に係るブロック構築体の施工方法を実施している状態を示し、（Ａ）は、その状態の要部斜視図、（Ｂ）は、その状態の要部拡大斜視図である。
【図８】（Ａ）は本発明の第２実施形態に係る有孔レンガブロックを使用したブロック構築体の正面図であり、（Ｂ）は要部断面とその拡大図である。
【図９】本発明の第２実施形態に係るブロック構築体の説明図であって、（Ａ）はブロック構築体の構成要素である有孔レンガブロックの斜視図、（Ｂ）はその縦断側面図である。
【図１０】本発明の第２実施形態に係るブロック構築体の構成要素である目地材を示し、（Ａ）は、目地材の斜視図、（Ｂ）は、目地材の断面図である。
【発明を実施するための形態】
【００４０】
以下、本発明の実施形態について、添付図面を参照しながら説明する。図１〜図７は、本発明の第１実施形態に係るガラスブロック構築体及びその構成要素並びにその施工方法の実施状況を例示している。
【００４１】
図１（Ａ）に示すように、本実施形態に係る建築用のガラスブロック構築体１０は、アルミニウム等の金属からなる四本の角パイプＰにより構成された矩形額縁状をなす枠体１の内周側に、複数個（図例では三段×三列の計九個）のガラスブロック５が縦横に整列して配置されている。これらのガラスブロック５のうち、最下段の複数個のガラスブロック５と、これらに縦方向に隣接する中段の複数個のガラスブロック５との相互間には、横方向に沿う単一の長尺な目地材（以下、横目地材という）６が配設されている。また、中段の複数個のガラスブロック５と、これらに縦方向に隣接する上段の複数個のガラスブロック５との相互間にも、同様の横目地材６が配設されている。一方、最下段の横方向に隣接するガラスブロック５の相互間と、中段の横方向に隣接するガラスブロック５の相互間と、最上段の横方向に隣接するガラスブロック５の相互間には、ガラスブロック５の一辺の長さに相当する短尺な目地材（以下、縦目地材という）７がそれぞれ配設されている。そして、全てのガラスブロック５の各隣接相互間の目地幅は、１〜５ｍｍとされている。
【００４２】
図１（Ｂ）に拡大して示すように、横目地材６は、平板状体で構成され、その幅方向両端部位に、板厚よりも幅方向寸法が長尺であって且つ長手方向（紙面と直交する方向）に延びる平面部６ａが形成されている。この平面部６ａは、表裏両面の全域が平坦面であって、隣接するガラスブロック５の両側面部５ｄの平坦面をなす支持面５ｆに平面接触すると共に、両支持面５ｆの相互間を閉塞している。そして、目地材６の平面部６ａとガラスブロック５の支持面５ｆとの間にのみ接触圧が作用している。さらに、ガラスブロック５は、目地材６の幅方向端面６ｆがブロック意匠面である額縁部５ｂの表面に対して６ｍｍ（Ｌ２）奥に位置しており、ブロック構築体１０の意匠面１０ａを構成している。ガラスブロック５の支持面５ｆの奥側端部から目地材６の平面部６ａの幅方向端面６ｆまでの距離Ｌ１が１２ｍｍであるので、額縁部５ｂの表面から目地材６の幅方向端面６ｆまでの距離Ｌ２はＬ１／２になっている。
【００４３】
枠体１の上辺および左右両側辺を構成する三本の角パイプＰの内面には、アングル材２がドリルビスＮでそれぞれ固定されると共に、これらのアングル材２の内側部分には、プレート材４がビスＮ１でそれぞれ固定され、且つ、枠体１の下辺を構成する一本の角パイプＰの内面には、下地材３がドリルビスＮで固定されている（図１（Ａ）参照）。そして、これら三枚のプレート材４と一枚の下地材３とによって、複数個のガラスブロック５の四方外周が包囲されている。この場合、枠体１の左右両側辺の内側に存するプレート材４には、アンカーピース９を用いて横目地材６の両端がそれぞれ連結されている（図７（Ｂ）参照）。
【００４４】
上述のガラスブロック構築体１０の構成要素について説明すると、ガラスブロック５は、図２（Ａ）、（Ｂ）に示すように、一対の有底無蓋状をなす箱状ガラス成形体５ａを、互いの開放端で溶着一体化して作製されたものであって、前面および後面にそれぞれ透光面５ｃを有している。そして、ガラスブロック５の前面側および後面側には、透光面５ｃの外周側を取り囲む矩形の額縁部５ｂがそれぞれ形成され、本実施形態では、額縁部５ｂの表面が意匠面とされている。したがって、ガラスブロック５の側面部５ｄは、前面側の意匠面の縁部からこれに対向する後面側の意匠面の縁部に連なって形成され、その幅方向両端部位（額縁部５ｂ）が最も外周側に突出しており、且つ幅方向中央側に移行するに連れて漸次内周側に窪むと共に、幅方向中央の溶着部５ｅが僅かに外周側に突出している。なお、この溶着部５ｅは、熱加工による歪みを有する部位であるために外力や衝撃等から保護すべく本来ならば保護コーティングされるが、本実施形態では、隣接するガラスブロック５の相互間に装備される発光部品からの光や、横、縦目地材６、７の素材色または着色を、透光面５ｃに投影させるため、溶着部５ｅを含む側面部５ｄを透明にしている。
【００４５】
また、横、縦目地材６、７は何れも、図３（Ａ）、（Ｂ）、（Ｃ）に示すように、一枚の平板状体の幅方向中間部位において、長手方向に延びる凹部および凸部が表面側および裏面側に形成されている。詳述すると、同図（Ａ）、（Ｂ）に示すように、平板状体の裏面側には、幅方向中央部位に、幅が全幅の１／５〜１／２で深さが１〜５ｍｍの長尺幅凹部６ｂが長手方向全長に亘って形成されると共に、幅方向両端部位に、平面部６ａが長手方向全長に亘ってそれぞれ形成されている。さらに、これら平面部６ａのそれぞれの幅方向中央側寄り部位には、肉厚および突出寸法が板厚に近い（大きくかけ離れていない）突起状凸部６ｄが裏面側および表面側に形成されている。また、同図（Ｂ）、（Ｃ）に示すように、平板状体における上述の長尺幅凹部６ｂの形成領域の幅方向中央には、短尺幅凹部６ｃが長手方向全長に亘って形成されると共に、長尺幅凹部６ｂの幅方向両側には、一対の中尺幅嵌合用凹部６ｅが長手方向全長に亘って形成されている。なお、これらの目地材６、７は、金属または樹脂からなるものであって、本実施形態では、アルミ合金を押出成型することによりシルバー色に形成されてなる。また、上述の下地材３は、実質的にこれらの目地材６、７と同一の構成とされている。
【００４６】
さらに、三枚のプレート材４は何れも、図４（Ａ）、（Ｂ）に示すように、平板状体の幅方向中間部位に、凹部および凸部が形成されている。詳述すると、平板状体の表面側には、幅方向中央部位に、長尺幅嵌合用凹部４ｄが長手方向全長に亘って形成されると共に、幅方向両端部位に、平面部４ｂが長手方向全長に亘ってそれぞれ形成されている。そして、それら平面部４ｂのそれぞれの幅方向中央側寄り部位には、肉厚および突出寸法が板厚に近い（大きくかけ離れていない）短突起状凸部４ｃが表面側のみに形成されている。さらに、短突起状凸部４ｃの内側の長尺幅嵌合用凹部４ｄの両側には、対向配置された鉤状凸部４ｆ、４ｆが形成されている。また、プレート材４である平板状体の裏面側には、幅方向中央部位に、突出寸法が長尺な長突起状凸部４ａが長手方向全長に亘って形成されると共に、その長突起状凸部４ａから両側に離隔した部位に保持突起状凸部４ｅがそれぞれ長手方向全長に亘って形成されている。なお、これらのプレート材４は、金属または樹脂からなるものであって、本実施形態では、アルミ合金を押出成型することによりシルバー色に形成されてなる。
【００４７】
また、アンカーピース９は、図５（Ａ）〜（Ｄ）に示すように、Ｌ字型を呈する部材であって、縦方向に沿う幅広の縦面部９ａと、この縦面部９ａの幅方向両端部からそれぞれ相互に離隔して横方向に延びる一対の幅狭の横面部９ｂとを一体形成したものである。そして、横面部９ｂの外側（縦面部９ａへの連結部近傍）には切り欠き部９ｃが形成されている。なお、このアンカーピース９は、金属または樹脂からなるものであって、本実施形態では、肉厚が１．５ｍｍの鋼（ステンレス鋼：例えばＳＵＳ３０４）からなるＬ型材を加工して形成されたものである。
【００４８】
以上の構成要素を組み付けることにより得られるガラスブロック構築体１０は、以下に示すような構成とされる。
【００４９】
図６（Ａ）に符号Ａを付した部位の拡大図を参酌して、ガラスブロック構築体１０の上端部においては、枠体１の上辺を構成する角パイプＰの内面（下面）にドリルビスＮにより固定されたアングル材２の縦面部と、プレート材４の長突起状凸部４ａとがビスＮ１により固定されると共に、そのプレート材４の幅方向両端側部分と角パイプＰの内面との間にはそれぞれガスケット８が介設され、これらのガスケット８は、プレート材４の保持突起状凸部４ｅによってそれぞれ位置決め保持されている。また、プレート材４の幅方向両端部位に形成された平面部４ｂのそれぞれの端部が、ガラスブロック５の側面部５ｄにおける幅方向両端部を構成する額縁部５ｂの外周面（支持面）に平面接触すると共に、プレート材４の両平面部４ｂの幅方向中央側寄り部位にそれぞれ形成された短突起状凸部４ｃが、ガラスブロック５の側面部５ｄにおける額縁部５ｂの外周面（支持面）の幅方向中央側寄り位置に近接して、ガラスブロック５の位置決めがなされている。さらに、ガラスブロック５の側面部５ｄの中央側領域とプレート材４との相互間に介在しているＬＥＤ等の発光部品Ｌと電源ケーブルＫとが、プレート材４の長尺幅嵌合用凹部４ｄにより幅方向移動を規制されて保持されている。
【００５０】
図６（Ａ）に符号Ｂを付した部位の拡大図を参酌して、ガラスブロック構築体１０の上下方向中間部においては、横目地材６の幅方向両端部位に形成された平面部６ａのそれぞれの端部の表裏面が、隣接するガラスブロック５の側面部５ｄにおける額縁部５ｂの外周面（支持面）にそれぞれ平面接触すると共に、横目地材６の両平面部６ａの幅方向中央側寄り部位にそれぞれ形成された表面側および裏面側の突起状凸部６ｄが、隣接するガラスブロック５の側面部５ｄにおける額縁部５ｂの外周面（支持面）の幅方向中央側寄り位置にそれぞれ近接して、隣接するガラスブロック５の相互間の幅方向位置決めがなされている。さらに、隣接するガラスブロック５における側面部５ｄの中央側領域の相互間に介在しているＬＥＤ等の発光部品Ｌと電源ケーブルＫとが、横目地材６の長尺幅凹部６ｂにより幅方向移動を規制されて保持されると共に、上段のガラスブロック５の幅方向中央に存する溶着部５ｅと横目地材６との干渉が、横目地材６の幅方向中央部位の短尺幅凹部６ｃによって回避されている。
【００５１】
図６（Ａ）に符号Ｃを付した部位の拡大図を参酌して、ガラスブロック構築体１０の下端部においては、枠体１の下辺を構成する角パイプＰの内面（上面）に、上記の横目地材６を表裏逆にしてなる下地材３が、その幅方向中央部位に形成された長尺幅凹部６ｂの裏面を当接させた状態でドリルビスＮにより固定されている。そして、この下地材３の幅方向両端部位に形成された平面部６ａの端部の上面が、ガラスブロック５の側面部５ｄにおける額縁部５ｂの外周面（支持面）５ｆに平面接触すると共に、下地材３の両平面部６ａの幅方向中央側寄り部位にそれぞれ形成された表面側および裏面側の突起状凸部６ｄが、ガラスブロック５の側面部５ｄにおける額縁部５ｂよりも幅方向中央側寄り部位と角パイプＰの内面とにそれぞれ近接および当接して、ガラスブロック５と角パイプＰとの相互間を位置決めしている。
【００５２】
さらに、図７（Ａ）に示すように、縦目地材７は、上記の横目地材６と同一の断面形状を呈している。そして、図７（Ｂ）に示すように、アンカーピース９の縦面部９ａが、枠体１の左右両側辺の角パイプＰに固定されるプレート材４の長尺幅嵌合用凹部４ｄに嵌合して、対向配置された鉤状凸部４ｆ、４ｆにより水平方向移動を規制された状態で上下動を案内される構成である。さらに、このアンカーピース９の一対の横面部９ｂは、横目地材６の一対の中尺幅嵌合用凹部６ｅにそれぞれ嵌合されることにより、プレート材４と横目地材６とが連結されている。
【００５３】
次に、本実施形態に係るガラスブロック構築体１０の施工方法を説明する。
【００５４】
先ず、図７（Ａ）を参酌して、枠体１の上辺および左右辺を構成する角パイプＰの内面にそれぞれアングル材２をドリルビスＮで固定すると共に、枠体１の下辺を構成する角パイプＰの内面に下地材３をビスＮ１で固定する。その後、左右のアングル材２にそれぞれプレート材４を取り付けるが、この時点では余裕をもって取り付けておき、所要の施工が終了した時点で強く確実に締め付けるようにする。そして、左右のプレート材４の各々に対向配置された鉤状凸部４ｆ、４ｆ間に、予め必要な全てのアンカーピース９を嵌め込み、施工に支障のない上部にテープなどで仮に固定しておく。
【００５５】
次に、下辺の下地材３の上に、側面塗装が施されていない三個のガラスブロック５を、それぞれの隣接相互間に縦目地材７を介設した状態で取り付けることにより、最下段のガラスブロック列を形成する。そして、この最下段の三個のガラスブロック５の上に、それらの横方向全長に亘って単一の横目地材６を載せると共に、左右のプレート材４の長尺幅嵌合用凹部４ｄに予め仮固定しておいたアンカーピース９を一対ずつ取り外し、鉤状凸部４ｆ、４ｆ間を下方に移動させて、横目地材６の一対の中尺幅嵌合用凹部６ｅに各アンカーピース９の一対の横面部９ｂを嵌合させることにより、両プレート材４に対して横目地材６を固定する。これ以後は、二段目および三段目についても同様の作業を行う。
【００５６】
この後、両端に存するガラスブロック５と左右辺の角パイプＰとの間の目地にそれぞれ楔を入れて目地幅調整を行い、左右のアングル材２とプレート材４とをビスＮ１で強く確実に締め付ける。また、最上段の三個のガラスブロック５の上に、その横方向全長に亘って単一のプレート材４を設置し、そのプレート材４と枠体１の上辺側のアングル材２とをビスＮ１で固定する。そして、最終段階として、両端に存するガラスブロック５と左右辺の角パイプＰとの間にそれぞれガスケット８を嵌め込むと共に、最上段のガラスブロック５と上辺の角パイプＰとの間にもガスケット８を嵌め込むことにより、ガラスブロック構築体１０の施工を終了する。
【００５７】
なお、上記の実施形態では、枠体１を金属製の四本の角パイプＰで構成したが、木造建築や木製壁面を施工する場合には、枠体１を杉材等の四本の木材で構成してもよい。この場合には、枠体の左右辺と上辺とを構成する木材のそれぞれの内面に、上記と同様のアングル材２を木ねじからなるビスで固定すると共に、下辺を構成する木材の内面に、上記と同様の下地材３を木ねじからなるビスで固定する。その後の施工は、実質的に上記実施形態に係るガラスブロック構築体１０と同様である。
【００５８】
また、上記実施形態では、プレート材４、横目地材６および縦目地材７をシルバー色にしたが、これらに黒色の染色アルマイト処理を施すことにより、細く黒色の目地部を形成するようにしてもよく、或いは、これらにブロンズ色の染色アルマイト処理を施すことにより、細くブロンズ色の目地部を形成するようにしてもよい。
【００５９】
図８〜図１０は、本発明の第２実施形態に係るガラスブロック構築体及びその構成要素を例示している。図８に示すように、本実施例に係る建築用のブロック構築体２０は、アルミニウム等の金属からなる四本の角パイプＰにより構成された矩形額縁状をなす枠体１の内周側に、複数個（図例では三段×三列の計九個）の意匠面２１ａに貫通孔部２１ｃを有する有孔レンガブロック２１が縦横に整列して配置されている。これらの有孔レンガブロック２１のうち、最下段の複数個の有孔レンガブロック２１と、これらに縦方向に隣接する中段の複数個の有孔レンガブロック２１との相互間には、横方向に沿う単一の長尺な目地材（以下、横目地材という）２６が配設されている。また、中段の複数個の有孔レンガブロック２１と、これらに縦方向に隣接する上段の複数個の有孔レンガブロック２１との相互間にも、同様の横目地材２６が配設されている。一方、最下段の横方向に隣接する有孔レンガブロック２１の相互間と、中段の横方向に隣接する有孔レンガブロック２１の相互間と、最上段の横方向に隣接する有孔レンガブロック２１の相互間には、有孔レンガブロック２１の一辺の長さに相当する短尺な目地材（以下、縦目地材という）７がそれぞれ配設されている。
【００６０】
そして、全ての有孔レンガブロック２１の各隣接相互間の目地幅は、１〜５ｍｍとされている。また、目地材２６の幅方向端部に設けられた支持部材２６ａには、全領域が平坦面をなし且つ有孔レンガブロック２１の支持面２１ｅと平面接触する平面部と、この平面部の幅方向中央寄り位置に表裏両側に突設された突起状凸部２６ｃとが形成されている。さらに、支持部材２６ａの平面部の端面（外端面）６ｄは、有孔レンガブロック２１の意匠面２１ａに対して３ｍｍ（Ｌ２）奥に位置しており、ブロック構築体２０の意匠面２０ａを構成している。当該ブロック２１の支持面２１ｅの幅方向中央側端部から意匠面２１ａまでの距離Ｌ１は１２ｍｍであるので、その意匠面２１ａから目地材２６の幅方向端面２６ｆの距離Ｌ２はＬ１／４になっている。
【００６１】
有孔レンガブロック２１は、図９（Ａ）に示すように、意匠面２１ａが９０×９０ｍｍ、側面２１ｂの奥行き寸法が１００ｍｍ、貫通孔部２１ｃの孔径が４７ｍｍである。
【００６２】
横目地材２６は、図１０に示すように、支持部材２６ａと、接続板２６ｂとからなり、接続板２６ｂを交換することで、多種のブロックに対応できるものである。
【００６３】
次に、本実施形態に係るガラスブロック構築体２０の施工方法を説明する。
【００６４】
先ず、図７（Ａ）を参酌して、枠体１の上辺および左右辺を構成する角パイプＰの内面にそれぞれアングル材２をドリルビスＮで固定すると共に、枠体１の下辺を構成する角パイプＰの内面に下地材３をビスＮ１で固定する。その後、左右のアングル材２にそれぞれプレート材４を取り付けるが、この時点では余裕をもって取り付けておき、所要の施工が終了した時点で強く確実に締め付けるようにする。左右のプレート材４の各々に対向配置された鉤状凸部４ｆ、４ｆ間に、予め必要な全てのアンカーピース９を嵌め込み、施工に支障のない上部にテープなどで仮に固定しておく。
【００６５】
次に、下辺の下地材３の上に、側面塗装が施されていない三個の有孔レンガブロック２１を、それぞれの隣接相互間に縦目地材７を介設した状態で取り付けることにより、最下段のガラスブロック列を形成する。そして、この最下段の三個の有孔レンガブロック２１の上に、それらの横方向全長に亘って単一の横目地材２６を載せると共に、左右のプレート材４の長尺幅嵌合用凹部４ｄに予め仮固定しておいたアンカーピース９を一対ずつ上下動可能な状態とし、鉤状凸部４ｆ、４ｆ間を下方に移動させて、横目地材２６の一対の中尺幅嵌合用凹部２６ｅに各アンカーピース９の一対の横面部９ｂを嵌合させることにより、両プレート材４に対して横目地材２６を固定する。これ以後は、二段目および三段目についても同様の作業を行う。
【００６６】
この後、両端に存する有孔レンガブロック２１と左右辺の角パイプＰとの間の目地にそれぞれ楔を入れて目地幅調整を行い、左右のアングル材２とプレート材４とをビスＮ１で強く確実に締め付ける。また、最上段の三個の有孔レンガブロック２１の上に、その横方向全長に亘って単一のプレート材４を設置し、そのプレート材４と枠体１の上辺側のアングル材２とをビスＮ１で固定する。そして、最終段階として、両端に存する有孔レンガブロック２１と左右辺の角パイプＰとの間にそれぞれガスケット８を嵌め込むと共に、最上段の有孔レンガブロック２１と上辺の角パイプＰとの間にもガスケット８を嵌め込むことにより、ガラスブロック構築体２０の施工を終了する。
【産業上の利用可能性】
【００６７】
本発明は、ガラス以外の同様な形状を有する陶器、セラミックスその他の脆性材からなる透光性ブロックを用いた構築体にも適用可能である。
【符号の説明】
【００６８】
１    枠体
２    アングル材
３    下地材
４    プレート材
４ｄ    嵌合用凹部
４ｆ    鉤状凸部
６ｆ、２６ｄ    幅方向端面
５    ガラスブロック
５ａ    箱状ガラス成形体
５ｂ    額縁部（ガラスブロック意匠面）
５ｄ、２１ｂ    側面部（凹部）
５ｅ    溶着部
５ｆ、２１ｅ    支持面
６、２６    目地材（横目地材）
６ａ    平面部
６ｂ  長尺幅凹部
６ｄ、２６ｃ    突起状凸部
６ｅ    嵌合用凹部
６ｆ、２６ｄ    幅方向端面
７、２７    目地材（縦目地材）
９    アンカーピース
９ａ    縦面部
９ｂ    横面部
１０    ガラスブロック構築体
１０ａ    意匠面
２０    ブロック構築体
２１    有孔レンガブロック
２１ａ    ブロック意匠面
２１ｃ    貫通孔部
２１ｄ    凹部
２６ａ    支持部材
２６ｂ    接続部材（接続板）
２６ｅ    中尺幅嵌合用凹部
Ｌ１    ブロック意匠面から支持面奥側までの距離
Ｌ２    ブロック意匠面から目地材の幅方向端面までの距離
【図１】
2010255401.tif 000003
【図２】
2010255401.tif 000004
【図３】
2010255401.tif 000005
【図４】
2010255401.tif 000006
【図５】
2010255401.tif 000007
【図６】
2010255401.tif 000008
【図７】
2010255401.tif 000009
【図８】
2010255401.tif 000010
【図９】
2010255401.tif 000011
【図１０】
2010255401.tif 000012